(57)【要約】【課題】水路と周辺自然環境との調和を達成するために、水棲生物の生育環境を有するコンクリート製水路を提供する。【解決手段】普通コンクリートからなる底部１０と、ポーラスコンクリートからなる立上り部１１と、より構成する、コンクリート製水路であり、前記立上り部１１に水棲生物が生息するための暗渠部２２を形成することもできる、コンクリート製水路１である。【選択図】　　　図１
2004092259.tif 000002
【特許請求の範囲】
【請求項１】
普通コンクリートからなる底部と、
ポーラスコンクリートからなる立上り部と、より構成する、
コンクリート製水路。
【請求項２】
前記立上り部に水棲生物が生息するための暗渠部を形成することを特徴とする、
請求項１に記載のコンクリート製水路。
【発明の詳細な説明】
【０００１】
【発明の属する技術分野】
本発明は、水を導水或いは排水するために用いる、コンクリート製水路に関するものである。
【０００２】
【従来の技術】
田畑等に水を導水或いは排水するために、例えば地山を断面Ｕ型の溝状に掘削した水路が知られている。
この水路は、底部及び立上り部となる部分の地山を直接削って形成したものであり、水路の内面が地山で囲まれており水棲生物等の繁殖を許容する。
また、地山に複数個のコンクリート製ブロックを配設して構成するコンクリート製の水路が知られている（例えば、特許文献１参照。）。
コンクリート製の水路は、コンクリート二次製品である例えば断面Ｕ型ブロックを複数個連結することで水路を形成する。このコンクリート製ブロックは、水路の内面が平滑なコンクリート面で覆われており、水棲生物等の繁殖を許容するものではないが、余計な障害物が存在しないことから導水或いは排水効率を高く維持できる効果が得られるものである。
【０００３】
【特許文献１】
特開平９−２５０１１９号公報（第２−３頁、第１図，第２図）
【０００４】
【発明が解決しようとする課題】
前記した従来の水路にあっては、次のような問題点がある。
＜イ＞　地山に直接構築した水路は、水路周辺に水棲植物類や藻類が繁殖したり、その岸部が崩壊したりすることで、水路を塞ぎ水流の妨げとなってしまう。
この水流の妨げに起因して、水量の多い季節には水路の氾濫の恐れが生じる。
＜ロ＞　水路を妨げる植物等の撤去作業は、底部及び立上り部が地山であるために捗らず、立上り部にあっては、地山を削る恐れがあり水路岸部の崩壊を招く恐れがあるために困難を極める。
＜ハ＞　複数のコンクリート製ブロックより構成する水路には、水棲生物が生育する余地がなく、水路が周辺自然環境に馴染み難い。
【０００５】
【発明の目的】
本発明は上記したような従来の問題を解決するためになされたもので、水路と周辺自然環境との調和を達成するために、水棲生物の生育環境を有するコンクリート製水路を提供することを目的とする。
【０００６】
【課題を解決するための手段】
上記のような目的を達成するために、本発明のコンクリート製水路は、普通コンクリートからなる底部と、ポーラスコンクリートからなる立上り部と、より構成することを特徴とするものである。
ここで、「普通コンクリート」とは、後述する植採用コンクリートに対して、セメントと、骨材と、水等からなる公知組成のコンクリートを指す。
そして、ポーラスコンクリートの空隙には、土、保水材又は肥料等の培用材を充填して植採用コンクリートとすることができる。
さらに、「水棲生物」とは、魚類、鳥類、昆虫類、植物類、水草・藻類を含む水辺の生物全般を指す。
【０００７】
また、本発明のコンクリート製水路は、前記立上り部に水棲生物が生息するための暗渠部を形成することを特徴とするものである。
ここで、「暗渠部」とは、前述した水棲生物の生育場所となる水路であり、水流を妨げることなく底部或いは立上り部に設けた管状体や、凹凸等を形成した人造の水棲生物生育部となる水路を指す。
【０００８】
【発明の実施の形態】
以下、図１，２を参照しながら本発明の実施の形態について説明する。
【０００９】
＜イ＞コンクリート製水路
本発明のコンクリート製水路１は、水路を構成する底部１０及び立上り部１１をコンクリート製としたものであり、特に底部１０には普通コンクリートを用い、立上り部１１にはポーラスコンクリートを用いる。
この構成により、コンクリート製水路１は、水流を安定して流下させると共に、水路１内における水棲生物の生育を許容することで水路を周辺自然環境に馴染ませることができる。
本例においては、複数個の水路用ブロック２を連結してコンクリート製水路１を構成する一例について説明する。
以下、水路用ブロック２について説明する。
【００１０】
＜ロ＞　水路用ブロック
水路用ブロック２は、例えば図１，２に示すような断面台形型の溝を有するコンクリート製ブロックである。
水路用ブロック２は、コンクリート製水路１の底部１０に相当する底部２０と、同じくコンクリート製水路１の立上り部１１に相当する一対の立上り部２１，２１より構成する。
底部２０に対して立上り部２１は、水路を確保できるだけの所定の角度で接合してあり、本例で図示した接合角度の一例以外にも水路の利用形態等により適宜自由に設定できる。
また、水路用ブロック２は、断面台形型に限定されるものではなく、コンクリート製水路１の構築現場等の状況により、断面略Ｕ型や断面略Ｌ型等公知の様々な形状のブロックを採用することができる。
【００１１】
＜ハ＞　底部
底部２０は、セメントと骨材と水等を混和した公知の普通コンクリートより形成される。
底部２０は、水路１の流下流量や清掃時の作業性を確保するために充分な硬度と平滑な面を有する。
底部２０の両側部には、後述する立上り部２１，２１が接合され、コンクリート製水路１を構成する。
なお、底部２０には、暗渠部（図示せず）を形成して底部２０に水棲生物の生育環境を構築することができる。
【００１２】
＜ニ＞　立上り部
立上り部２１は、ポーラスコンクリートより形成される。
ポーラスコンクリートは、コンクリート内に形成されたポーラス状の空隙に土、保水材又は肥料等の培用材を充填することで植栽機能を持たせることができる。この培用材は、予め充填しておくことができる。また、設置後に自然に充填させることもできる。
すなわち、立上り部２１に、前述した公知のポーラスコンクリートを採用することで、水草や藻類、水際植物等の植生を可能とし、これらの植物に集まる昆虫類や魚類、鳥類等の生育環境を構築して周辺の自然環境に馴染ませることができる。
これに加えて、立上り部２１には、暗渠部２２を形成することができる。
暗渠部２２としては、例えば図１，２に示したように水路用ブロック２の内周面側に開口した管状部を形成することができる。これにより、水棲生物が暗渠部２２を棲家とする等して繁殖することができる。
暗渠部２２は、図示したような管状部に限らず、その他にも凹凸形状としたり、多種多様な形状を採用することにより、より自然環境に適応する水棲生物の生育環境を提供することが可能である。
【００１３】
【発明の効果】
本発明のコンクリート製水路及び水路用ブロックは、以上説明したようになるから次のような効果を得ることができる。
＜イ＞　コンクリート製の水路であっても、水棲生物の生育が可能であり、水路を周辺自然環境と調和させることができる。
＜ロ＞　水棲生物の生育により水流を妨げられても、底部を普通コンクリートで構成したことにより、必要な流下流量が確保できる。
＜ハ＞　コンクリート製の水路であるから、浸食の心配がない。
【図面の簡単な説明】
【図１】本発明のコンクリート製水路の斜視図
【図２】発明の実施の形態に係る水路用ブロックの断面図
【符号の説明】
１　・・・水路
１０・・・底部
１１・・・立上り部
２　・・・水路用ブロック
２０・・・底部
２１・・・立上り部
２２・・・暗渠部
【図１】
2004092259.tif 000003
【図２】
2004092259.tif 000004